(57)【要約】【課題】  ２以上の大当たり状態が同時期に並行して可能な遊技機が管理対象であった場合でも、遊技機の収支データが、どちらの大当たり状態に係る遊技特性に依存しているかを容易に把握可能にすること。【解決手段】  パチンコ遊技機１は、互いに異なる内容の第１種大当たり及び第２種大当たりが発生可能になっている。管理コンピュータ１６は、パチンコ遊技機１が大当たりにある期間に払い出されたパチンコ玉数を示す大当たり中セーフ玉数データと、当該期間での払出パチンコ玉数及び使用パチンコ玉数の差である大当たり中差玉数データの集計動作を行い、その集計結果を大当たり履歴データ中に含めるようになる。但し、管理コンピュータ１６は、第１種及び第２種大当たりが同時期に並行発生した場合には、上記大当たり履歴データから当該大当たりに係る大当たり中セーフ玉数データ及び大当たり中差玉数データを除外する。【選択図】  図１
2005160927.tif 000002
【特許請求の範囲】
【請求項１】
遊技媒体を使用した遊技により入賞が発生したときに所定個数の遊技媒体を払い出すように構成されその遊技時に入賞率を通常時より高めた第１の大当たり状態及び第２の大当たり状態が同時期に並行して進行可能な遊技機に係る稼動データを各遊技機別に区分して集計管理する遊技場用データ管理システムにおいて、
前記遊技機が前記大当たり状態にある期間に払い出された遊技媒体数を示す払出遊技媒体数データと、当該期間での払出遊技媒体数及び使用遊技媒体数の差である差引遊技媒体数データとの少なくとも一方の集計動作を行うと共に、その集計結果を大当たり履歴データとして管理するように構成され、前記第１及び第２の大当たり状態が同時期に並行発生したときには当該大当たり状態に係る前記払出遊技媒体数データ及び差引遊技媒体数データの集計動作を無効化するデータ集計手段を備えたことを特徴とする遊技場用データ管理システム。
【請求項２】
遊技媒体を使用した遊技により入賞が発生したときに所定個数の遊技媒体を払い出すように構成されその遊技時に入賞率を通常時より高めた第１の大当たり状態及び第２の大当たり状態が同時期に並行して進行可能な遊技機に係る稼動データを各遊技機別に区分して集計管理する遊技場用データ管理システムにおいて、
前記第１及び第２の大当たり状態が同時期に並行して進行した状態以外の大当たり状態毎に、前記遊技機から払い出された遊技媒体数を示す払出遊技媒体数データと、当該期間での払出遊技媒体数及び使用遊技媒体数の差である差引遊技媒体数データとの少なくとも一方の集計動作を行うと共に、その集計されたデータに基づいて、前記払出遊技媒体数データ及び差引遊技媒体数データの少なくとも一方についての平均値データを前記第１及び第２の大当たり状態のそれぞれについて算出するデータ集計手段を備えたことを特徴とする遊技場用データ管理システム。
【請求項３】
前記データ集計手段は、遊技場内に設置された同一機種の遊技機群全体について前記平均値データを演算する機能を備えた構成とされていることを特徴とする請求項２記載の遊技場用データ管理システム。
【請求項４】
前記遊技機は複数の電動役物を備えたパチンコ遊技機であることを特徴とする請求項１ないし３の何れかに記載の遊技場用データ管理システム。
【発明の詳細な説明】
【技術分野】
【０００１】
本発明は、パチンコ遊技機やスロットマシンのように、遊技媒体を使用した遊技により入賞が発生したときに所定個数の遊技媒体を払い出すように構成された遊技機、特には、その遊技時に入賞率を通常時より高めた第１の大当たり状態及び第２の大当たり状態が同時期に並行して進行可能な遊技機に係る稼動データを各遊技機別に区分して集計管理するための遊技場用データ管理システムに関する。
【背景技術】
【０００２】
例えばパチンコ遊技機においては、複数の通常入賞口、スタート入賞口及び常時は閉鎖された状態の大入賞口を設けると共に、スタート入賞口へのパチンコ玉の入賞に応じて行われる抽選動作の結果を表示する表示装置を設け、表示された抽選動作結果が大当たりであったときに大入賞口を所定ラウンドだけ開放させて入賞率を通常時より大幅に高めた大当たり状態（特賞状態とも呼ばれる）を呈する構成のもの（第１種パチンコ遊技機：所謂セブン機）が広く普及している。従来では、この種のパチンコ遊技機に係る稼動データを管理するためのデータ管理システムとして、大当たり状態１回当たりの平均的な出玉数を算出し、これにより大当たり状態での出玉数がどの程度になったかを遊技場側において確認できるようにしたものが供されている（例えば特許文献１参照）。
【０００３】
また、近年では、特許文献２及び特許文献３などに見られるように、スタート入賞口へのパチンコ玉の入賞に応じて行われる抽選動作の結果が当たりであった場合に大当たり状態を呈する第１種パチンコ遊技機と、始動チャッカーへのパチンコ玉の入賞により羽根が短時間だけ開き、その中にあるＶゾーンにパチンコ玉が入賞したときに大当たり状態を呈する第２種パチンコ遊技機（所謂ハネモノ）とを融合した形態のパチンコ遊技機（複合パチンコ遊技機）が提案されている。この他にも、第１種パチンコ遊技機若しくは第２種パチンコ遊技機と第３種パチンコ遊技機（所謂権利物）とを融合した形態、或いは同一種のパチンコ遊技機を融合した形態（例えば、第１種パチンコ遊技機の大当たり機能を２台分備えた形態）など、種々の形態の複合パチンコ遊技機が考えられている。
【０００４】
特に、風営法が来年（２００４年）１月に改正され７月から施行される予定だが、その法改正により従来の第１種、第２種といった遊技機種別が撤廃されるため、このような複合パチンコ遊技機が実際に遊技店に設置される日は遠くないと予想される。
【特許文献１】特開２０００−１４０３６５号公報
【特許文献２】特開２０００−３３１４１号公報
【特許文献３】特開２００３−６２２１５号公報
【発明の開示】
【発明が解決しようとする課題】
【０００５】
特許文献１に見られるようなデータ管理システムのように、単に大当たり状態１回当たりの平均的な出玉数を算出するだけの構成では、従来のパチンコ遊技機についてのデータ管理に対応できても、例えば２種類の大当たり状態が発生可能な複合パチンコ遊技機、特には各大当たり状態が同時期に並行して進行可能な構成の複合パチンコ遊技機についてのデータ管理が全く不可能になる。このため、従来システムでは、複合パチンコ遊技機の収支データが、どちらの大当たり状態に係る遊技特性に依存しているかを検討できないという問題点があり、この結果、例えば複合パチンコ遊技機の釘調整作業を的確に行うことが困難になるなどの状況が発生する。
【０００６】
本発明は上記事情に鑑みてなされたものであり、その目的は、２以上の大当たり状態が同時期に並行して進行可能な遊技機が管理対象であった場合でも、遊技機の収支データがどちらの大当たり状態に係る遊技特性に依存しているかを的確に把握可能となる遊技場用データ管理システムを提供することにある。
【課題を解決するための手段】
【０００７】
請求項１記載の発明は、上記目的を達成するために、遊技媒体を使用した遊技により入賞が発生したときに所定個数の遊技媒体を払い出すように構成されその遊技時に入賞率を通常時より高めた第１の大当たり状態及び第２の大当たり状態が同時期に並行して進行可能な遊技機に係る稼動データを各遊技機別に区分して集計管理する遊技場用データ管理システムにおいて、
前記遊技機が前記大当たり状態にある期間に払い出された遊技媒体数を示す払出遊技媒体数データと、当該期間での払出遊技媒体数及び使用遊技媒体数の差である差引遊技媒体数データとの少なくとも一方の集計動作を行うと共に、その集計結果を大当たり履歴データとして管理するように構成され、前記第１及び第２の大当たり状態が同時期に並行発生したときには当該大当たり状態に係る前記払出遊技媒体数データ及び差引遊技媒体数データの集計動作を無効化するデータ集計手段を備えた構成としたものである。
【０００８】
請求項２記載の発明は、前記目的を達成するために、遊技媒体を使用した遊技により入賞が発生したときに所定個数の遊技媒体を払い出すように構成されその遊技時に入賞率を通常時より高めた第１の大当たり状態及び第２の大当たり状態が同時期に並行して進行可能な遊技機に係る稼動データを各遊技機別に区分して集計管理する遊技場用データ管理システムにおいて、
前記第１及び第２の大当たり状態が同時期に並行して進行した状態以外の大当たり状態毎に、前記遊技機から払い出された遊技媒体数を示す払出遊技媒体数データと、当該期間での払出遊技媒体数及び使用遊技媒体数の差である差引遊技媒体数データとの少なくとも一方の集計動作を行うと共に、その集計されたデータに基づいて、前記払出遊技媒体数データ及び差引遊技媒体数データの少なくとも一方についての平均値データを前記第１及び第２の大当たり状態のそれぞれについて算出するデータ集計手段を備えた構成としたものである。
【０００９】
この場合、請求項３記載の発明のように、前記データ集計手段に対して、遊技場内に設置された同一機種の遊技機群全体について前記平均値データを演算する機能を付加しても良い。
【００１０】
また、請求項４記載の発明のように、前記遊技機は複数の電動役物を備えたパチンコ遊技機であっても良い。
【発明の効果】
【００１１】
請求項１記載の発明によれば、入賞率を通常時より高めた第１の大当たり状態及び第２の大当たり状態が同時期に並行して進行可能な遊技機に係る稼動データを各遊技機別に区分して集計管理するために設けられたデータ集計手段は、当該遊技機が大当たり状態にある期間に払い出された遊技媒体数を示す払出遊技媒体数データと、当該期間での払出遊技媒体数及び使用遊技媒体数の差である差引遊技媒体数データの少なくとも一方の集計動作を行い、その集計結果を大当たり履歴データとして管理するようになる。但し、当該データ集計手段は、第１及び第２の大当たり状態が同時期に並行発生した場合には、当該大当たり状態に係る前記払出遊技媒体数データ及び差引遊技媒体数データの集計動作を無効化するようになる。
【００１２】
つまり、第１及び第２の大当たり状態が同時期に並行発生したときの払出遊技媒体数データ及び差引遊技媒体数データについては、大当たり履歴データ中から除外された状態になる。換言すれば、第１及び第２の大当たり状態が単独で発生して終了した場合のみ、払出遊技媒体数データ及び差引遊技媒体数データの少なくとも一方のデータが集計されて大当たり履歴データとして管理されるものであり、この結果、各大当たり状態に伴う大当たり履歴データの推移を精度良く集計できるようになる。これにより、当該大当たり履歴データにより示される遊技機の収支データがどちらの大当たり状態に係る遊技特性に依存しているかを的確に把握できるようになり、その把握結果を、例えば遊技機の遊技特性の調整作業（パチンコ遊技機の場合における釘調整作業など）に役立て得るようになる。
【００１３】
請求項２記載の発明によれば、入賞率を通常時より高めた第１の大当たり状態及び第２の大当たり状態が同時期に並行して進行可能な遊技機に係る稼動データを各遊技機別に区分して集計管理するために設けられたデータ集計手段は、第１及び第２の大当たり状態が同時期に並行して進行した状態以外の大当たり状態、つまり、第１及び第２の大当たり状態の一方が単独で発生してそのまま他方の大当たり状態の同時発生を見ることなく終了した状態が発生する毎に、その遊技機が大当たり状態にある期間に払い出された遊技媒体数を示す払出遊技媒体数データと、当該期間での払出遊技媒体数及び使用遊技媒体数の差である差引遊技媒体数データの少なくとも一方の集計動作を行うと共に、その集計されたデータに基づいて、払出遊技媒体数データ及び差引遊技媒体数データの少なくとも一方についての平均値データを第１及び第２の大当たり状態のそれぞれについて算出するようになる。
【００１４】
つまり、第１及び第２の大当たり状態が単独で発生して終了した場合のみ、払出遊技媒体数データ及び差引遊技媒体数データの少なくとも一方についての平均値データが各大当たり状態のそれぞれについて算出されるから、その平均値データに基づいて、各大当たり状態１回当たりの払出遊技媒体数データ及び差引遊技媒体数データの平均値を正確に把握可能となる。これにより、遊技機の収支データがどちらの大当たり状態に係る遊技特性に依存しているかを的確に把握できるようになり、その把握結果を、例えば遊技機の遊技特性の調整作業（パチンコ遊技機の場合における釘調整作業など）に役立て得るようになる。
【００１５】
請求項３記載の発明によれば、払出遊技媒体数データ及び差引遊技媒体数データの少なくとも一方のデータから成る大当たり履歴データが、遊技場内に設置された同一機種の遊技機群全体について得られるから、第１及び第２の大当たり状態についての遊技特性の傾向を遊技機の機種毎に把握する上で有益になる。また、同一機種の遊技機群全体についての大当たり履歴データを、遊技機毎の大当たり履歴データの分析の目安となる標準的なデータとして利用できるようになり、従って、各大当たり状態についての遊技特性の傾向を分析する上でも有益になる。
【００１６】
請求項４記載の発明によれば、管理対象が複合パチンコ遊技機であっても上述したような効果を得ることができる。
【発明を実施するための最良の形態】
【００１７】
（第１の実施の形態）
以下、本発明の一実施例について図１ないし図６を参照しながら説明する。
図２にはパチンコ遊技機の正面外観が概略的に示されている。この図２において、パチンコ遊技機１は、その上皿２内のパチンコ玉（遊技媒体に相当）を電動式の玉発射機構（操作ダイヤルのみ符号３を付して示す）により盤面４へ発射する構成となっている。盤面４には、アウト口５、第１スタート入賞口６、第２スタート入賞口７ａ及び７ｂ、一般的にアタッカーと呼ばれている電動役物８ａを備えた大型入賞口８、複合役物９が設けられていると共に、図示しない通常入賞口も設けられている。
【００１８】
複合役物９は、第２種パチンコ遊技機（所謂ハネモノ）の機能を実現するためのセンター役物１０内に、第１種パチンコ遊技機（所謂セブン機）の機能を実現するための図柄表示部１１を配置した構成となっている。
図３には上記複合役物９が拡大した状態で示されており、以下この図３に基づいて複合役物９の構成を説明する。即ち、複合役物９を構成するセンター役物１０は、入賞領域を囲んだ形態の枠状部１０ａの左右両側に常時において当該入賞領域を閉鎖するように配置された一対の羽根１０ｂ（電動役物に相当）を備えており、その羽根１０ｂが図中に二点鎖線で示すように拡開されたときに入賞領域へのパチンコ玉の入賞が可能な状態となる。また、入賞領域の底部は、中央部に形成されたＶゾーン１０ｃと当該Ｖゾーン１０ｃ以外の部分を占める通常入賞口１０ｄとに区分されており、そのＶゾーン１０ｃをパチンコ玉が通過したときに第２大当たり条件が成立する。
【００１９】
即ち、センター役物１０にあっては、第２スタート入賞口７ａ或いは７ｂにパチンコ玉が入賞したときに羽根１０ｂを短時間（例えば１秒）だけ拡開する動作を実行する構成となっており、その拡開期間に枠状部１０ａにより囲まれた入賞領域に入賞したパチンコ玉がＶゾーン１０ｃを通過した場合に第２大当たり条件が成立することになる。この第２大当たり条件が成立した状態では、羽根１０ｂが比較的長い時間ずつ所定回数だけ拡開されるものであり、これに応じて入賞領域への入賞率が通常時より大幅に高められた第２の大当たり状態（以下これを第２種大当たりと呼ぶ）を呈する。このような第２種大当たりが発生したときの平均的な差玉数は、例えば１２００個前後に設定されている。尚、上記第２種大当たりにある期間には、第２スタート入賞口７ａ或いは７ｂにパチンコ玉が入賞した場合でも羽根１０ｂの短時間拡開動作が行われることはない。
【００２０】
上記入賞領域には、パチンコ玉の通過経路をランダムにするための複数のスタッド１０ｅが立設されている。また、センター役物１０の枠状部１０ａにおいて、羽根１０ｂの基端部に対応した各部位にワープルート入口１０ｆが設けられていると共に、入賞領域の入口に対応した両側部位にワープルート出口１０ｇが設けられており、羽根１０ｂの拡開時にワープルート入口１０ｆにパチンコ玉が進入したときは、そのパチンコ玉がワープルート出口１０ｇから入賞領域の中央に向けて放出されてＶゾーン１０ｃへの入賞確率が高くなるように構成されている。
【００２１】
一方、図柄表示部１１は、第１スタート入賞口６へのパチンコ玉の入賞に応じて行われる所定確率の抽選動作の結果を表示するためのもので、図２及び図３では、３桁の数字列より成るルーレットを表示する例が示されている。即ち、図柄表示部１１は、第１スタート入賞口６へのパチンコ玉の入賞に応じてルーレットの変動表示（本実施例の場合、数字列の各桁の「０」〜「９」の範囲での変動表示）を開始するものであり、上記抽選動作の結果が大当たりであったときにはその変動終了時点で数字列が「１１１」、「２２２」、…のようなぞろ目図柄（大当たり図柄）となるように制御される。
【００２２】
このようにぞろ目図柄が表示された状態は、第１大当たり条件が成立した状態に相当する。そして、第１大当たり条件が成立したときには、大型入賞口８の電動役物８ａ（アタッカー）が予め決められたモードにて所定期間だけ開放され、以て当該入賞口８への入賞率が極端に高められた第１の大当たり状態（以下これを第１種大当たりと呼ぶ）を呈するものである。このような第１種大当たりが発生したときの平均的な差玉数は、例えば１８００個前後に設定されている。
【００２３】
この場合、本実施例によるパチンコ遊技機１では、第１種大当たり及び第２種大当たりが独立して発生する構成、つまり、各大当たりが同時期に並行して進行可能な構成となっている。
また、第１スタート入賞口６へのパチンコ玉の入賞が、図柄表示部１１の変動表示期間や、第１種大当たり或いは第２種大当たりにある期間中に発生した各場合には、その入賞に応じた抽選結果の表示が保留される。そして、このように保留された抽選結果の表示動作は、図柄表示部１１の変動表示の終了、第１種或いは第２種大当たりの終了を待って行われるものであり、以て当該表示保留状態が解除される構成となっている。このような抽選結果の表示の一時的な保留数（所謂保留玉数）は所定の上限値（例えば「４」）に制限されており、当該保留玉数を表示するために、図柄表示部１１の上方に発光ダイオードを利用した保留玉表示部１１ａが設けられている。
【００２４】
このように構成されたパチンコ遊技機１には、以下に述べるような各信号を外部へ出力する機能が設けられている。
即ち、パチンコ遊技機１は、打込パチンコ玉数を示すアウト玉数信号、並びに賞球として払い出されたパチンコ玉の数を示すセーフ玉数信号を出力する構成となっている。また、パチンコ遊技機１は、図柄表示部１１による図柄変動動作の実行（以下、これを第１スタートと呼ぶ）毎に第１スタート信号を出力し、第２スタート入賞口７ａ或いは７ｂへのパチンコ玉の入賞に応じた羽根１０ｂの短時間拡開動作の実行（以下、これを第２スタートと呼ぶ）毎に第２スタート信号を出力する構成となっており、さらに、第１種大当たり及び第２種大当たりにある各期間に第１大当たり信号及び第２大当たり信号をそれぞれ出力する構成となっている。尚、本実施例のパチンコ遊技機１は、第１種大当たりにある期間に第１大当たり信号を継続的に出力すると共に、第２種大当たりにある期間に第２大当たり信号を継続的に出力する構成となっている。
【００２５】
図１には、本実施例によるパチンコホール用管理システムの概略的構成が本発明の要旨に関係した部分のみ示されている。この図１において、パチンコホール内に多数台ずつ設置されたパチンコ遊技機１及び台間玉貸機１２は、互いの間で信号の授受を行い得るように構成されている。パチンコ遊技機１の上方には呼出ランプユニット１３が設けられており、当該パチンコ遊技機１は、呼出ランプユニット１３を介して入出力装置１４と接続され、台間玉貸機１２はパチンコ遊技機１及び呼出ランプユニット１３を介して入出力装置１４に接続されている。尚、パチンコ遊技機１から入出力装置１４には、前述したアウト玉数信号、セーフ玉数信号、第１スタート信号、第２スタート信号、第１大当たり信号、第２大当たり信号などが出力される。
【００２６】
台間玉貸機１２は、プリペイドカード挿入口１２ａに図示しないプリペイドカードが挿入された状態で当該プリペイドカードに記憶された残高金額データの範囲内でパチンコ玉を放出（貸出）するＣＲ機（カードリーダ機）としての機能を備えたものである。この場合、各台間玉貸機１２から入出力装置１４には、プリペイドカードによる売上を示す売上信号などが出力される。
【００２７】
呼出ランプユニット１３は、複数の表示ランプ１３ａ、例えば液晶パネルより成るデータ表示部１３ｂ、呼出ボタン１３ｃなどを備えた周知構成のもので、呼出ボタン１３ｃの操作に伴う呼び出し状態の表示機能、対応するパチンコ遊技機１で発生した大当たり状態などを表示する機能、パチンコ遊技機１での大当たり履歴データに基づいて作成した遊技客向けデータ（大当たり発生回数など）を表示する機能（これについては後述する）、パチンコ遊技機１及び台間玉貸機１２のためのデータ入出力インタフェースの機能などを備えている。
【００２８】
入出力装置１４は、店内ＬＡＮ１５に接続されており、この店内ＬＡＮ１５には、パチンコホールの管理事務所内に設置された管理コンピュータ１６（データ集計手段に相当）が接続されている。また、図示しないが、店内ＬＡＮ１５には、景品交換カウンタに設置されたＰＯＳ端末及び島端に設置されたパチンコ玉計数機なども接続される。
管理コンピュータ１６は、パチンコ遊技機１及び台間玉貸機１２から出力される種々の信号（アウト玉数信号、セーフ玉数信号、第１スタート信号、第２スタート信号、第１大当たり信号、第２大当たり信号、売上信号など）に基づいて、パチンコ遊技機１についての稼動データ（アウト玉数（打込パチンコ玉数）、セーフ玉数（払出パチンコ玉数）、差玉数（アウト玉数及びセーフ玉数の差）、稼動率、出玉率、ベース、センター役物１０及び図柄表示部１１の各スタート回数（第１スタート回数、第２スタート回数）、第１種大当たり及び第２種大当たりの各発生回数など）、並びに台間玉貸機１２についての貸出高データ（売上金額、割数など）を集計して格納するという周知のデータ集計機能を備えた構成となっている。
【００２９】
また、管理コンピュータ１６は、上記のようなデータ集計機能の他に、本発明の要旨に関係した大当たり履歴データの作成及び出力機能を備えており、以下においては、その機能について図４ないし図６も参照しながら説明する。
図４（ａ）、（ｂ）には、パチンコ遊技機１での第１大当たり信号及び第２大当たり信号の出力タイミングの一例が示されている。即ち、図４（ａ）には、第１大当たり信号が４回出力され且つ第２大当たり信号が５回出力された場合、つまり、第１種大当たりが４回発生し、第２種大当たりが５回発生した場合における第１及び第２大当たり信号の出力タイミング例が示されており、図４（ｂ）には、同図（ａ）中の期間Ｐ１について、その時間軸を拡大した状態で示している。この図４中には、各信号の出力順（各大当たりの発生順）に通し番号「１」〜「９」が付されている。尚、図４に示した通し番号「７」に対応した第１大当たり信号は、この図４では明らかでないが所謂確変を伴った第１種大当たりが発生したときの信号であり、確変が伴っているか否かの判断は、例えば、図柄表示部１１の表示図柄に基づいて行うことができる。また、これ以外にも、第１種大当たりの発生時において所謂時短が伴っているか否かの判断についても、図柄表示部１１の表示図柄に基づいて行うことができる。
【００３０】
図４（ｂ）から理解できるように、通し番号「２」に対応した第１種大当たりと通し番号「３」に対応した第２種大当たりとが重複して発生し、通し番号「５」に対応した第１種大当たりと通し番号「６」に対応した第２種大当たりとが重複して発生している。この場合、第１種大当たりの継続時間の方が第２種大当たりの継続時間より長くなるという一般的事情があるため、各大当たりの重複形態が以下に述べる２種類発生することになる。
【００３１】
（１）第１の重複形態
図４（ｂ）に示すように、時刻ｔ１に発生した第１種大当たりが終了する時刻ｔ３以前の時刻ｔ２に第２種大当たりが発生し、その第２種大当たりの終了時刻ｔ４が第１種大当たりの終了時刻ｔ３以降になる重複形態、つまり、第１種及び第２種大当たりがそれぞれ単独で発生している期間が存在する重複形態。尚、図示しないが、第２種大当たりの発生後に第１種大当たりが重複して発生した場合（この場合には、両者の継続時間の関係から第２種大当たりの終了後に第１種大当たりが終了することになる）も、この第１の重複形態に分類される。
（２）第２の重複形態
図４（ｂ）に示すように、第１種大当たりの発生期間（時刻ｔ５〜ｔ８）内に第２種大当たりの発生（時刻ｔ６）及び終了（時刻ｔ７）が収まる重複形態、つまり、第２種大当たりが単独で発生している期間が存在しない重複形態。
【００３２】
本実施例では、上記第１の重複形態を単に「重複」と呼び、上記第２の重複形態を「吸収」と呼ぶことにする。
管理コンピュータ１６には、前述のデータ集計機能により得た稼動データ、並びにパチンコ遊技機１から与えられる第１及び第２大当たり信号に基づいて各パチンコ遊技機１に係る大当たり履歴データを作成して出力する機能が設けられているが、本実施例では、その作成・出力形態として複合データ作成モードが設定されており、以下においては、この複合データ作成モードについて、図４のようなタイミングで第１大当たり信号及び第２大当たり信号を出力したパチンコ遊技機１を対象にして説明する。
【００３３】
即ち、複合データ作成モードでは、パチンコ遊技機１において第１種及び第２種大当たりの何れかが発生するまでの期間の稼動データ並びに当該大当たり期間中の稼動データに基づいて各回の大当たり履歴データを作成し、第１種及び第２種大当たりの双方についての大当たり履歴データを発生順に並べると共に、これに他の所定のデータを付け加えた状態の複合データとして出力する。
【００３４】
具体的には、各大当たり履歴データは、大当たりの発生時刻、大当たりの種類（第１種及び第２種の区別）、大当たりの発生状態（「重複」、「吸収」、「確変」、「時短」の区別）、大当たり間アウト（大当たりが新たに単独発生するまでの期間のアウト玉数）、大当たり間差玉（大当たりが新たに単独発生するまでの期間の差玉数）、大当たり間スタート（直前の同一種類の大当たりが発生してから該当大当たりが発生するまでの期間のスタート回数（第１スタート回数及び第２スタート回数）：但し、営業開始後に最初に発生した大当たりについては、営業開始後から該当大当たりが発生するまでの期間のスタート回数）、大当たり中差玉（１回の大当たり期間中の差玉数：差引遊技媒体数データに相当）、大当たり中アウト（１回の大当たり期間中のアウト玉数）、大当たり中セーフ（１回の大当たり期間中のセーフ玉数：払出遊技媒体数データに相当）を組み合わせたデータであり、プリンタを通じた印字出力或いはディスプレイを通じた表示出力として提供される。
【００３５】
図５には、図４のようなタイミングで第１大当たり信号及び第２大当たり信号を出力したパチンコ遊技機１に対応した複合データを、当該図４中に示したタイミングＴにて作成した場合の例が示されている。
この図５において、複合データは、大当たりの発生順を示す通し番号（「１」〜「９」）と対応付けた状態で、各大当たり履歴データ（発生時刻、大当たりの種類、発生状態、大当たり間アウト、大当たり間差玉、大当たり間スタート（第１スタート回数及び第２スタート回数）、大当たり中差玉、大当たり中アウト、大当たり中セーフの組合せデータ）を記録すると共に、図４中のタイミングＴでの大当たり間アウト、大当たり間差玉、大当たり間スタートを記録した形態となっている。尚、上記大当たり履歴データのうち、「発生状態」の欄には、「重複」及び「吸収」に関連した各大当たりに対応したデータに対し「＊」印が記録される。
【００３６】
但し、管理コンピュータ１６は、第１種及び第２種大当たりが同時期に並行して発生した場合には、当該大当たりに係る大当たり中差玉、大当たり中アウト、大当たり中セーフの各データの集計を無効化する構成、つまり、それらのデータを大当たり履歴データ中から除外する構成となっている。図４の複合データの例では、通し番号「２」、「３」、「５」、「６」に対応した大当たり履歴データ（「発生状態」の欄に「重複」、「吸収」、「＊」が記録されているデータ）において、大当たり中差玉、大当たり中アウト、大当たり中セーフの各データが除外された状態となる。
【００３７】
さらに、管理コンピュータ１６は、図５に示すように、上記のように記録した複合データ中に、以下に述べるような「第１種合計」、「第２種合計」、「第１種平均」、「第２種平均」、「実スタート比率」、「平均スタート」、「平均スタート比率」、「全平均」の各データを付け加えて集計する構成となっている。
「第１種合計」……第１種大当たりが発生するまでの第１スタート回数及び現在時点までの第１スタート回数、第１種大当たりの発生に応じた大当たり中差玉、大当たり中アウト、大当たり中セーフについて各々合計したデータ。但し、大当たり中差玉、大当たり中アウト、大当たり中セーフに係るデータは、第１種大当たりが単独発生した状態時のデータのみに基づくものである。
【００３８】
「第２種合計」……第２種大当たりが発生するまでの第２スタート回数及び現在時点までの第２スタート回数、第２種大当たりの発生に応じた大当たり中差玉、大当たり中アウト、大当たり中セーフについて各々合計したデータ。但し、大当たり中差玉、大当たり中アウト、大当たり中セーフに係るデータは、第２種大当たりが単独発生した状態時のデータのみに基づくものである。
【００３９】
「第１種平均」……第１種大当たりに対応した大当たり間アウト、大当たり間差玉、第１スタート回数、大当たり中差玉、大当たり中アウト、大当たり中セーフについての第１種大当たり１回当たりの平均をそれぞれ示すデータ。但し、大当たり中差玉、大当たり中アウト、大当たり中セーフに係るデータは、第１種大当たりが単独発生した状態時のデータのみに基づくものである。
【００４０】
「第２種平均」……第２種大当たりに対応した大当たり間アウト、大当たり間差玉、第２スタート回数、大当たり中差玉、大当たり中アウト、大当たり中セーフについての第２種大当たり１回当たりの平均をそれぞれ示すデータ。但し、大当たり中差玉、大当たり中アウト、大当たり中セーフに係るデータは、第２種大当たりが単独発生した状態時のデータのみに基づくものである。
【００４１】
実スタート比率……「第１種平均」中の第１スタート回数と「第２種平均」中の第２スタート回数との比率を示すデータ。
平均スタート……大当たり間アウト１０００個当たりの第１スタート回数の平均値（＝「第１種平均」中の第１スタート回数÷（「第１種平均」中の大当たり間アウト÷１０００））、並びに大当たり間アウト１０００個当たりの第２スタート回数の平均値（＝「第２種平均」中の第２スタート回数÷（「第２種平均」中の大当たり間アウト÷１０００））を示すデータ。
【００４２】
平均スタート比率……「平均スタート」中の第１スタート回数の平均値と第２スタート回数の平均値との比率を示すデータ。
「全平均」……第１種及び２種大当たりの発生に応じた大当たり間アウト、大当たり間差玉、第１スタート回数、第２スタート回数、大当たり中差玉、大当たり中アウト、大当たり中セーフの各平均をそれぞれ示すデータ。但し、大当たり中差玉、大当たり中アウト、大当たり中セーフに係るデータは、第１種及び第２種大当たりがそれぞれ単独発生した各状態時のデータのみに基づくものである。
【００４３】
一方、管理コンピュータ１６には、上記のような複合データ作成モードで作成した複合データを所定日数分に渡って蓄積すると共に、その蓄積データを印字出力或いはディスプレイを通じた表示出力としてパチンコホール従業員に対し選択的に提供する機能の他に、データ出力機能が設定されている。このデータ出力機能は、上記蓄積データに基づいて作成した遊技客向けデータを呼出ランプユニット１３のデータ表示部１３ｂに表示することにより遊技客側に提供するというものであり、以下これについて説明する。
【００４４】
図６には、データ表示部１３ｂでの表示例が示されている。
即ち、図６は複合データ（図５参照）に基づいて作成した遊技客向けデータの表示例を示すものであり、
・当日の第１種大当たりの発生回数ａ、
・当日の確変及び時短の発生回数ｂ、
・当日の第２種大当たりの発生回数ｃ、
・前回の第１種大当たりの終了後から現在時点までの第１スタート回数ｄ（但し、第１種大当たりが未発生の時点では当日の営業開始時点から現在時点までの第１スタート回数）、
・前回の第２種大当たりの終了後から現在時点までの第２スタート回数ｅ（但し、第２種大当たりが未発生の時点では当日の営業開始時点から現在時点までの第２スタート回数）、
・前日の第１種大当たりの発生回数ｆ、
・前日の第２種大当たり発生回数ｇ、
・前々日の第１種大当たりの発生回数ｈ、
・前々日の第２種大当たりの発生回数ｉ、
がそれぞれ数値表示されると共に、第１及び第２スタート回数についてのスタート履歴グラフｊ、第１種大当たりについての所謂連チャン回数ｋが表示される。
【００４５】
スタート履歴グラフｊは、第１スタート回数及び第２スタート回数についての履歴を互いに識別可能な状態（例えば表示色を変えた状態）のデータセットから成る棒グラフにより表示したものであり、各データセットは、１目盛が１〜１００回に対応している。つまり、１目盛のみ表示された棒グラフはスタート回数が１〜１００回、２目盛表示された棒グラフはスタート回数が１０１〜２００回、３目盛表示された棒グラフはスタート回数が２０１〜３００回、……ということになる。
【００４６】
この場合、前回の該当大当たりの終了時点（若しくは営業開始時点）から現在時点までの間における第１スタート回数及び第２スタート回数が、「現在」の文字に対応付けて表示されると共に、新たに第１種大当たり或いは第２種大当たりが発生した時点までの各期間の該当スタート回数（第１スタート回数或いは第２スタート回数）についての過去５回分の履歴が、「１回前」、「２回前」、「３回前」、「４回前」、「５回前」の文字に対応付けて表示される。但し、確変（或いは時短）を伴った第１種大当たり及びこの確変（或いは時短）時に発生した第１種大当たり（つまり、連チャン状態）は、これを１回とカウントしており、当該確変（或いは時短）を伴った第１種大当たりが新たに発生するまでの期間の第１スタート回数について棒グラフ表示している。
【００４７】
つまり、図５の複合データの例では、通し番号「７」及び「８」の大当たり履歴データに対応した２回分の第１種大当たりが１回とカウントされるものであり、当該大当たりに対応した第１スタート回数は、「２回前」の履歴となる。この図５の例では、確変（或いは時短）を伴った第１種大当たりに係る通し番号「７」の大当たり履歴データにおける第１スタート回数は「１１８」であるから、「２回前」の文字に対応した棒グラフは２目盛が表示されることになる。
【００４８】
連チャン回数ｋは、「現在」、「１回前」、「２回前」、「３回前」、「４回前」、「５回前」の文字に対応付けた状態で数値表示されるものであるが、第２種大当たりについては確変や時短という概念がないので、「‐」が表示されることになる。尚、連チャン回数ｋ＝「０」は第１種大当たりが未発生であることを示し、連チャン回数ｋ＝「１」は第１種大当たりが単独発生したものであることを示す。
【００４９】
以上要するに、上記した実施例によれば、第１種及び第２種大当たりが同時期に並行して進行可能なパチンコ遊技機１に係る稼動データを各遊技機１別に区分して集計管理するために設けられた管理コンピュータ１６は、パチンコ遊技機１が第１種及び第２種大当たりにある各期間において払い出されたパチンコ玉数を示す大当たり中セーフ玉数データ（図５の「大当たり中セーフ」の項に記録されたデータ）、並びに当該期間において払い出されたパチンコ玉数と遊技に使用されたパチンコ玉数との差を示す大当たり中差玉数データ（図５の「大当たり中差玉」の項に記録されたデータ）を含む大当たり履歴データの集計動作を行い、その集計結果を図５に示すような複合データとして出力する。
【００５０】
但し、管理コンピュータ１６は、第１種及び第２種大当たりが同時期に並行発生した場合には、当該大当たり状態に係る大当たり中セーフ玉数データ及び大当たり中差玉数データを無効化するようになる。つまり、第１種及び第２種大当たりが重複発生したときの大当たり中セーフ玉数データ及び大当たり中差玉数データを大当たり履歴データから除外するようになる。換言すれば、第１種及び第２種大当たりが単独で発生して終了したときの大当たり中セーフ玉数データ及び大当たり中差玉数データのみが大当たり履歴データ中に含まれるものであり、この結果、各大当たりに伴う大当たり履歴データの推移を精度良く集計できるようになる。これにより、当該大当たり履歴データにより示されるパチンコ遊技機１の収支データがどちらの大当たりに係る遊技特性に依存しているかを容易且つ的確に把握できるようになり、その把握結果を、例えばパチンコ遊技機１の釘調整作業などに役立て得るようになる。
【００５１】
この場合、上記複合データ中には、大当たり中セーフ玉数データ及び大当たり中差玉数データについての平均値データが含まれるから、各大当たり１回当たりのセーフ数データ及び差玉数データの平均値を正確に把握可能となり、その把握結果をパチンコ遊技機１の遊技特性の調整作業に生かせるようになる。
また、本実施例によれば、上記複合データが単に出力されるだけでなく、当該複合データを所定日数分に渡って蓄積すると共に、その蓄積データを印字出力或いはディスプレイを通じた表示出力として遊技場従業員に対し選択的に提供できる構成となっているから、パチンコ遊技機１における第１種及び第２種大当たりの傾向を遊技場側で正確に把握可能になり、以て遊技場の営業計画の立案やパチンコ遊技機１の調整作業などのために貢献できるようになる。
【００５２】
さらに、本実施例によれば、上述のように所定日数分に渡って蓄積された複合データに基づいて作成した遊技客向けデータを呼出ランプユニット１３のデータ表示部１３ｂに表示することにより遊技客側に提供する機能が設けられているから、遊技客側においてもパチンコ遊技機１における各大当たりの傾向をある程度把握することが可能になり、以て、遊技に対する興趣の向上ひいては遊技客の来店率の向上を図る上で有益になる。
【００５３】
（その他の実施の形態）
その他、本発明は上記し且つ図面に示した実施例に限定されるものではなく、例えば以下に述べるような変形或いは拡大が可能である。
上記実施例では、大当たり中セーフ玉数データ及び大当たり中差玉数データの双方を集計し、両データを含む大当たり履歴データを作成する構成としたが、それらデータの少なくとも一方のみを含む大当たり履歴データを作成すれば良いものである。
管理コンピュータ１６に対して、大当たり中セーフ玉数データ及び大当たり中差玉数データの少なくとも一方についての平均値データを遊技場内に設置された同一機種のパチンコ遊技機１群全体について演算する機能を付加しても良い。この構成によれば、大当たり中セーフ玉数データ及び大当たり中差玉数データの少なくとも一方のデータを含む大当たり履歴データが、遊技場内に設置された同一機種のパチンコ遊技機１群全体について得られるから、第１種及び第２種大当たりについての遊技特性の傾向をパチンコ遊技機１の機種毎に把握する上で有益になる。また、同一機種のパチンコ遊技機１群全体についての大当たり履歴データを、各パチンコ遊技機１毎の大当たり履歴データの分析の目安となる標準的なデータとして利用できるようになり、従って、各大当たりについての遊技特性の傾向を分析する上でも有益になる。
【００５４】
上記実施例では、第１の大当たり状態の例として第１種パチンコ遊技機に対応した大当たり状態（第１種大当たり）を挙げると共に、第２の大当たり状態の例として第２種パチンコ遊技機に対応した大当たり状態（第２種大当たり）を挙げたが、これに限られるものでない。つまり、第３種パチンコ遊技機（所謂権利物）に設定された大当たり状態を第１の大当たり状態或いは第２の大当たり状態として適用する構成、３種類以上の大当たり状態が発生可能な構成など、種々の組合せが考えられるものであり、例えば、図７のようなパチンコ遊技機に適用することも考えられる。
【００５５】
即ち、図７に正面外観が概略的に示されたパチンコ遊技機１７は、上皿１８内のパチンコ玉を電動式の玉発射機構（操作ダイヤルのみ符号１９を付して示す）により盤面２０へ発射する構成となっている。盤面２０には、アウト口２１、第１スタート入賞口２２、第２スタート入賞口２３、アタッカーと呼ばれる電動役物２４ａ及び２５ａをそれぞれ備えた第１大型入賞口２４及び第２大型入賞口２５、第１図柄表示部２６、第２図柄表示部２７が設けられていると共に、図示しない通常入賞口も設けられている。つまり、パチンコ遊技機１７は、同一種のパチンコ遊技機を融合した構成（第１種パチンコ遊技機の大当たり機能を２台分備えた形態）となっている。
【００５６】
第１図柄表示部２６は、第１スタート入賞口２２へのパチンコ玉の入賞に応じて行われる所定の大当たり確率の第１抽選動作の結果を表示し、第２図柄表示部２７は、第２スタート入賞口２３へのパチンコ玉の入賞に応じて行われる所定の大当たり確率の第２抽選動作の結果を表示するためのもので、図７では、それぞれ３桁の数字列より成るルーレットを表示する例が示されている。即ち、第１及び第２図柄表示部２６及び２７は、それぞれに対応した第１及び第２スタート入賞口２２及び２３への各パチンコ玉の入賞に応じて互いに独立した状態でルーレットの変動表示（本実施例の場合、数字列の各桁の「０」〜「９」の範囲での変動表示）を開始するものであり、上記第１及び第２抽選動作の結果が大当たりであった各場合に、その変動終了時点で数字列が「１１１」、「２２２」、…のようなぞろ目図柄（大当たり図柄）となるように制御される。
【００５７】
この場合、第１図柄表示部２６にぞろ目図柄が表示された状態で第１大当たり条件が成立し、第２図柄表示部２７にぞろ目図柄が表示された状態で第２大当たり条件が成立することになる。そして、第１大当たり条件が成立したときには、第１大型入賞口２４の電動役物２４ａ（アタッカー）が予め決められたモードにて所定期間だけ開放され、以て当該入賞口２４への入賞率が極端に高められた第１の大当たり状態（以下これを第１大当たりと呼ぶ）を呈するものである。また、第２大当たり条件が成立したときには、第２大型入賞口２５の電動役物２５ａ（アタッカー）が予め決められたモードにて所定期間だけ開放され、以て当該入賞口２５への入賞率が極端に高められた第２の大当たり状態（以下これを第２大当たりと呼ぶ）を呈するものである。
【００５８】
尚、上記パチンコ遊技機１７は、第１大当たり及び第２大当たりが独立して発生する構成（同時期に並行発生可能な構成）となっている。また、第１スタート入賞口２２へのパチンコ玉の入賞が、第１図柄表示部２６の変動表示期間、第１大当たりにある期間中に発生した各場合には、その入賞に応じた抽選結果の表示が保留され、第２スタート入賞口２３へのパチンコ玉の入賞が、第２図柄表示部２７の変動表示期間、第２大当たりにある期間中に発生した各場合には、その入賞に応じた抽選結果の表示が保留される。そして、このように保留された抽選結果の表示動作は、各図柄表示部２６及び２７の変動表示或いは各大当たりの終了を待って行われるものであり、以て当該表示保留状態が解除される構成となっている。このような抽選結果の表示の一時的な保留数（所謂保留玉数）は所定の上限値（例えば「４」）に制限されており、当該保留玉数を表示するために、第１及び第２図柄表示部２６及び２７内に保留玉表示部２６ａ及び２７ａがそれぞれ設けられている。
【００５９】
また、この例及び前記実施例では、各大当たりのために異なるスタート入賞口（第１スタート入賞口６及び第２スタート入賞口７ａ、７ｂ、第１スタート入賞口２２及び第２スタート入賞口２３）を設けたパチンコ遊技機１或いは１７を例にしたが、各大当たりのための共通のスタート入賞口を設けたパチンコ遊技機を管理対象とすることも可能である。この場合には、例えば、共通スタート入賞口へのパチンコ玉の入賞タイミングや予め決められた順番などにより第１役物（図柄表示部１１、第１図柄表示部２６に相当）及び第２役物（センター役物１０、第２図柄表示部２７に相当）の何れを動作開始させるか選択する手段を設けたり、或いは共通スタート入賞口へのパチンコ玉の入賞に応じて動作する補助役物により第１役物及び第２役物の何れを動作開始させるか選択する手段を設ける構成などが考えられる。
【００６０】
本発明で管理対象とするパチンコ遊技機は、前記実施例で示した形式のものに限定される訳ではなく、例えば所謂封入式のパチンコ遊技機も管理対象とすることができる。その場合には、入賞に応じて付与される得点が、本発明でいうところの入賞に応じて払い出される遊技媒体数に該当することは勿論である。また、パチンコ遊技機１或いは１７における始動入賞口（第１及び第２スタート入賞口６及び７、第１及び第２スタート入賞口２２及び２３）は、パチンコ玉の入賞に応じて所定個数のパチンコ玉が払い出されるものに限らず、パチンコ玉の入賞によるパチンコ玉の払出を伴わない通過ゲート式のものも含む概念である。
【００６１】
本発明のシステムによる管理対象の遊技機をスロットマシンとすることも可能である。
【図面の簡単な説明】
【００６２】
【図１】本発明の一実施例を示すシステム全体の概略的構成図
【図２】パチンコ遊技機の概略的な正面図
【図３】パチンコ遊技機の要部の拡大正面図
【図４】第１大当たり信号及び第２大当たり信号の出力パターン例を示すタイミングチャート
【図５】複合データの出力例を示す図
【図６】遊技客向けデータの表示例を示す図
【図７】本発明の他の実施例を示す図２相当図
【符号の説明】
【００６３】
１はパチンコ遊技機、６は第１スタート入賞口、７ａ、７ｂは第２スタート入賞口、８は大型入賞口、８ａは電動役物、９は複合役物、１０はセンター役物、１０ｂは羽根（電動役物）、１０ｃはＶゾーン、１１は図柄表示部、１３は呼出ランプユニット、１３ｂはデータ表示部、１６は管理コンピュータ（データ集計手段）、１７はパチンコ遊技機、２２は第１スタート入賞口、２３は第２スタート入賞口、２４は第１大型入賞口、２４ａは電動役物、２５は第２大型入賞口、２５ａは電動役物、２６は第１図柄表示部、２７は第２図柄表示部を示す。
【図１】
2005160927.tif 000003
【図２】
2005160927.tif 000004
【図３】
2005160927.tif 000005
【図４】
2005160927.tif 000006
【図５】
2005160927.tif 000007
【図６】
2005160927.tif 000008
【図７】
2005160927.tif 000009